(57)【特許請求の範囲】
【請求項１】
本体と、
前記本体に加えられた運動を利用して往復運動するように前記本体に取り付けられた動体と、
前記本体の外部から視認可能な位置に取り付けられ、かつ、前記本体に対して回転可能に支持された回転体と、
前記動体の往復運動を回転運動に変換して前記回転体に伝達する伝達部と、を備え、
前記伝達部は、前記動体の往復運動を一方向の回転運動に変換して前記回転体に伝達し、
前記伝達部には、前記動体の往復運動による動力を前記回転体に伝達するための歯車列が設けられ、
前記伝達部は、前記動体が一方に運動する場合には動力を伝達する歯車の枚数が奇数枚となるように、前記動体が他方に運動する場合には動力を伝達する歯車の枚数が偶数枚となるように、動力を伝達する歯車の枚数を奇数枚と偶数枚との間で切替えることにより、前記動体の往復運動を一方向の回転運動に変換して前記回転体に伝達することを特徴とする玩具。
【請求項２】
前記歯車列には、前記動体の往復運動の方向に対応して回転方向の変わる第１の歯車と、前記第１の歯車から外れた位置に取り付けられた第２の歯車及び第３の歯車と、前記第２の歯車と噛み合う位置及び前記第３の歯車と噛み合う位置の２位置間を前記第１の歯車と噛み合わされた状態で移動可能に取り付けられた第４の歯車とが含まれ、
前記歯車列は、前記第４の歯車が前記第２の歯車と噛み合わされるときは、動力を伝達する歯車の枚数が奇数枚となり、前記第４の歯車が前記第３の歯車と噛み合わされるときは、動力を伝達する歯車の枚数が偶数枚となるように構成されていることを特徴とする請求項１に記載の玩具。
【請求項３】
前記動体として、振子が前記本体に取り付けられていることを特徴とする請求項１又は２に記載の玩具。
【請求項４】
起上り小法師として構成されていることを特徴とする請求項１〜３のいずれか１項に記載の玩具。
【請求項５】
本体を運動させるための動力源を含まない物品において、
前記本体に加えられた運動を利用して往復運動するように前記本体に取り付けられた動体と、
前記本体の外部から視認可能な位置に取り付けられ、かつ、前記本体に対して回転可能に支持された回転体と、
前記動体の往復運動を回転運動に変換して前記回転体に伝達する伝達部と、を備え、
前記伝達部は、前記動体の往復運動を一方向の回転運動に変換して前記回転体に伝達し、
前記伝達部には、前記動体の往復運動による動力を前記回転体に伝達するための歯車列が設けられ、
前記伝達部は、前記動体が一方に運動する場合には動力を伝達する歯車の枚数が奇数枚となるように、前記動体が他方に運動する場合には動力を伝達する歯車の枚数が偶数枚となるように、動力を伝達する歯車の枚数を奇数枚と偶数枚との間で切替えることにより、前記動体の往復運動を一方向の回転運動に変換して前記回転体に伝達することを特徴とする物品。
【発明の詳細な説明】
【０００１】
【発明の属する技術分野】
本発明は、部品の一部を回転させる玩具及び物品に関する。
【０００２】
【従来の技術】
一般に、円盤等の部品を回転させる玩具が数多く知られている。例えば、目が回転する人形、プロペラが回転する模型飛行機等である。このような玩具には、回転させる部品に直接手を触れて回転させるもの、外部に出したレバー等を引く、回す等の操作をするもの、モーター等の動力を利用するもの等がある。
【０００３】
【発明が解決しようとする課題】
しかし、上述した手で直接回転させる玩具では、操作と回転との相関が明らか過ぎて子供の興味が薄い。さらに、玩具の対象が手、指が十分に発達していない幼児である場合、うまく操作できない。
【０００４】
また、レバーを外部に出すことは強度的に不安な突起物となる。さらに、手で直接回転させる場合と同様に、手、指が十分に発達していない幼児である場合、うまく操作できない。
【０００５】
モーター等の動力を利用する玩具では、構造の複雑化により重量や容量の増大を招く。さらに、製造コストも高く、駆動に乾電池が必要なためランニングコストも高くなる。
【０００６】
そこで、本発明は、部品の一部を回転させる玩具及び物品において、簡素かつ低コストな構造で、見る者の興味を引くことが可能な玩具及び物品を提供することを目的とする。
【０００７】
【課題を解決するための手段】
以下、本発明について説明する。なお、本発明の理解を容易にするために添付図面の参照符号を括弧書きにて付記するが、それにより本発明が図示の形態に限定されるものではない。
【０００８】
本発明の玩具（１）は、本体（２）と、前記本体に加えられた運動を利用して往復運動するように前記本体に取り付けられた動体（４）と、前記本体の外部から視認可能な位置に取り付けられ、かつ、前記本体に対して回転可能に支持された回転体（３）と、前記動体の往復運動を回転運動に変換して前記回転体に伝達する伝達部（５、６、２６）とを備え、前記伝達部は、前記動体の往復運動を一方向の回転運動に変換して前記回転体に伝達し、前記伝達部には、前記動体の往復運動による動力を前記回転体に伝達するための歯車列（Ｇ：２０、２１、２２、２３、２４、２５）が設けられ、前記伝達部は、前記動体が一方に運動する場合には動力を伝達する歯車の枚数が奇数枚となるように、前記動体が他方に運動する場合には動力を伝達する歯車の枚数が偶数枚となるように、動力を伝達する歯車の枚数を奇数枚と偶数枚との間で切替えることにより、前記動体の往復運動を一方向の回転運動に変換して前記回転体に伝達することにより、上述した課題を解決する。
【０００９】
本発明によれば、本体の運動に伴って動体が往復運動するとともに、動体の往復運動が伝達部を介して回転体に伝達されて回転体が回転する。従って、外部にレバー等の操作部材を突き出す必要がない。また、モータ等の駆動源を使用する必要がないため、コストダウンを図ることが可能である。さらに、レバーを操作したり、手で直接回転させることなく回転体を回転させることができるため、見る者の興味を引くことが可能である。
【００１０】
動体は、本体が運動することにより往復運動するものであればよい。例えば、振子、レールに取り付けられた錘、ピストン等を利用可能である。回転体の取り付け位置は外部から視認可能であればよく、本体の外部に設けられてもよいし、内部に設けられてもよい。また、視認可能な位置と視認不可能な位置とを移動可能としてもよい。伝達部は動体の往復運動を回転運動に変換することが可能であればよい。例えば、振子の支点における回転運動を利用するものでもよいし、ラックとピニオンとを利用するものでもよいし、クランクを利用するものでもよい。また、往復運動の全部を回転運動に変換してもよいし、一部を回転運動に変換してもよい。
【００１１】
また、本発明の玩具において、前記伝達部は、前記動体の往復運動を一方向の回転運動に変換して前記回転体に伝達するので、動体の往復運動又は動体に往復運動を生じさせる本体の揺動と、回転体との相関が不明となり、さらに見る者の興味を引くことが可能である。
【００１２】
本発明の玩具において、前記伝達部には、前記動体の往復運動による動力を前記回転体に伝達するための歯車列が設けられ、前記伝達部は、前記動体が一方に運動する場合には動力を伝達する歯車の枚数が奇数枚となるように、前記動体が他方に運動する場合には動力を伝達する歯車の枚数が偶数枚となるように、動力を伝達する歯車の枚数を奇数枚と偶数枚との間で切替えることにより、前記動体の往復運動を一方向の回転運動に変換して前記回転体に伝達する。この伝達部によれば、動体の往復運動の方向によって、動体から回転体までの動力の伝達経路を構成する歯車の枚数が奇数枚と偶数枚との間で切替えられるため、動体の往復運動の２方向の運動が回転体の一方向の回転運動に変換される。従って、動体の往復運動による動力を無駄なく回転体に伝達することができる。
【００１３】
本発明の玩具において、前記歯車列には、前記動体の往復運動の方向に対応して回転方向の変わる第１の歯車（２２）と、前記第１の歯車から外れた位置に取り付けられた第２の歯車（２４）及び第３の歯車（２５）と、前記第２の歯車と噛み合う位置（２８ａ）及び前記第３の歯車と噛み合う位置（２８ｂ）の２位置間を前記第１の歯車と噛み合わされた状態で移動可能に取り付けられた第４の歯車（２３）とが含まれ、前記歯車列は、前記第４の歯車が前記第２の歯車と噛み合わされるときは、動力を伝達する歯車の枚数が奇数枚となり、前記第４の歯車が前記第３の歯車と噛み合わされるときは、動力を伝達する歯車の枚数が偶数枚となるように構成されてもよい。この場合、第１の歯車からの動力によって第４の歯車が２位置間を移動する。そして、動体から回転体までの動力の伝達経路を構成する歯車の枚数が奇数枚と偶数枚との間で切替えられる。従って、動体の往復運動を利用して動力の伝達経路を切替えることができ、簡素な構造で動体の往復運動を一方向の回転運動に変換することが可能である。
【００１４】
本発明の玩具において、前記動体として、振子（４）が前記本体に取り付けられていてもよい。この場合、本体が傾くだけで振子が運動するため、回転体を本体の揺動に対して感度良く回転させることが可能である。また、振子を支持する軸の回転を利用できるため、スライダクランク機構等を利用する場合に比べて簡素な構造とすることが可能である。
【００１５】
本発明の玩具は起上り小法師として構成されていてもよい。起上り小法師の転動によって回転体が回転することにより、見る者の興味を引くことが可能である。
【００１６】
本発明の物品は、本体（２）を運動させるための動力源を含まない物品（１）において、前記本体に加えられた運動を利用して往復運動するように前記本体に取り付けられた動体（４）と、前記本体の外部から視認可能な位置に取り付けられ、かつ、前記本体に対して回転可能に支持された回転体（３）と、前記動体の往復運動を回転運動に変換して前記回転体に伝達する伝達部（５、６、２６）と、を備え、前記伝達部は、前記動体の往復運動を一方向の回転運動に変換して前記回転体に伝達し、前記伝達部には、前記動体の往復運動による動力を前記回転体に伝達するための歯車列が設けられ、前記伝達部は、前記動体が一方に運動する場合には動力を伝達する歯車の枚数が奇数枚となるように、前記動体が他方に運動する場合には動力を伝達する歯車の枚数が偶数枚となるように、動力を伝達する歯車の枚数を奇数枚と偶数枚との間で切替えることにより、前記動体の往復運動を一方向の回転運動に変換して前記回転体に伝達することにより、上述した課題を解決する。本発明の物品には、例えば玩具、装飾品、家具、文具、看板等、様々な日用品が含まれる。
【００１７】
【発明の実施の形態】
図１は、本発明の一実施形態に係る玩具１の外観を示す斜視図である。玩具１は、倒すと転動しつつ起上り、図１に示すような静止状態となる、いわゆる起上り小法師として構成されている。玩具１は特に乳児又は幼児向けの玩具として構成されている。玩具１は、動物を模した本体２と、本体２に回転可能に支持された回転体３とを備える。
【００１８】
本体２は、頭部２ａと、胴体部２ｂと、底部２ｃと、透明カバー２ｄとを有する。各部２ａ〜２ｄは例えば合成樹脂で形成される。各部２ａ〜２ｄが組み立てられることにより、本体２は全体として上下に長い卵型を形成している。すなわち、倒し易く、転動し易い形状となっている。なお、本体２の外部には、レバー等の強度的に不安な突起物がない。
【００１９】
透明カバー２ｄは、例えば透明な合成樹脂等で形成され、その内部に取り付けられた回転体３を視認可能である。回転体３は本体２の内部に設けられることにより、外部からの衝撃による破損が防止され、また、外部からの接触により回転が妨げられることも回避される。回転体３は、例えば合成樹脂で形成される。回転体３はその表面に渦巻き模様３ａが描かれるとともに、円周に複数の突起部３ｂ…３ｂとを有する。これにより、回転体３の回転を視認することが容易となり、乳幼児の注意を惹きつける事が可能である。
【００２０】
図２は、玩具１の内部構成の概略を示す斜視図である。底部２ｃには、動体としての振子４と、振子４が取り付けられる軸５と、軸５の回転を回転体３に伝達するためのギアボックス６と、回転体３を収納する収納部７と、玩具１の重心を下方に偏らせるための錘８とが設けられる。
【００２１】
図３にも示すように、振子４は、アーム４ａと、アーム４ａの下端に取り付けられた錘４ｂとを有する。例えば、アーム４ａは合成樹脂で、錘４ｂは金属で形成される。アーム４ａは上端が軸５に固定され、軸５と一体に回転する。軸５はギアボックス６の前面部６ｃと、背面部６ｄとによって回動可能に支持されている。このため、玩具１が揺動すると、振子４は軸５を支点として振子運動を行い、その運動に伴って軸５が両方向に回転する。ギアボックス６の側面部６ａには、ストッパ６ｂがアーム４ａの移動範囲に突き出るように設けられている。これにより、振子４の運動を所定範囲内に収め、底部２ｃの内部側面への錘４ｂの衝突を回避している。従って、アーム４ａを長くすることにより、錘４ｂの往復運動によるモーメントを大きくして軸５に加えることが可能である。
【００２２】
錘８は、例えば金属で形成され、錘８によって玩具１の重心が下方に偏ることにより、玩具１は倒れた状態から図１に示した静止状態に復元可能である。
【００２３】
なお、底部２ｃにはこの他に音源部９が設けられる。音源部９の内部には鈴が取り付けられ、玩具１の転動にともなって鈴が鳴るように構成されている。
【００２４】
図４及び図５はギアボックス６の内部を玩具１の前面側（回転体３が取り付けられている側）から見た図である。ギアボックス６の内部には歯車列Ｇが設けられている。歯車列Ｇには、軸５に取り付けられた歯車２０と、歯車２０と噛み合うように取り付けられた歯車２１（図３参照）と、歯車２１と同一の軸に取り付けられた歯車２２と（第１の歯車）、歯車２２と噛み合うように取り付けられた歯車２３（第４の歯車）と、歯車２３の下方に取り付けられた歯車２４（第２の歯車）及び歯車２５（第３の歯車）とが含まれる。歯車２４及び歯車２５は互いに噛み合うように取り付けられている。それぞれの歯車の軸は前面部６ｃ及び背面部６ｄに回動可能に支持されている。歯車２４は軸２６に取り付けられ、その軸２６の前端側には、回転体３が取り付けられている。
【００２５】
歯車２３は軸２７に取り付けられ、その軸２７の両端は前面部６ｃ及び背面部６ｄに設けられたガイド２８、２８（図４、図５参照、前面部６ｃのガイドは不図示）に支持されている。ガイド２８は歯車２２の軸を中心とする円弧を描くように設けられている。このため、軸２７はガイド２８の端部２８ａ、２８ｂの間を移動可能である。また、歯車２３は歯車２２が回転することにより、その回転方向に移動する。さらに、軸２７が端部２８ａに位置するときは歯車２３と歯車２４とが噛み合い、軸２７が端部２８ｂに位置するときは歯車２３と歯車２５とが噛み合う。
【００２６】
従って、振子４が一方に振れるときには、振子４による動力は歯車２０、歯車２１、歯車２２、歯車２３、歯車２４を介して回転体３に伝達され（図４）、振子４が他方に振れるときには、振子４による動力は歯車２０、歯車２１、歯車２２、歯車２３、歯車２５、歯車２４を介して回転体３に伝達される（図５）。すなわち、動力を伝達する歯車の枚数が振子４の運動する方向に応じて奇数枚と偶数枚との間で切替えられる。このため、振子４がいずれの方向に振れても、回転体３の回転方向は常に同一である。
【００２７】
以上に説明したように、玩具１は、本体２が転動することにより回転体３が一方向に回転する。しかも、回転体３を回転させるためのモータやレバーを必要としない。従って、構造の簡素化、小型化、軽量化、強度の安定化、コストダウンを図ることが可能であり、しかも、手、指が発達していない乳幼児でも遊ぶことができ、乳幼児の興味を十分に引くことも可能である。
【００２８】
本発明の他の実施形態を図６〜図２６に示す。なお、内部構成は特に記載しない限り上述の実施形態と同様である。
【００２９】
図６は、本発明をガラガラ（ラトル）５０へ適用した例を示す図である。ガラガラ５０の筒状の本体５０ａに回転体５０ｂ、５０ｂが設けられている。ガラガラ５０を乳児の前で揺動することにより回転体５０ｂが回転する。
【００３０】
図７は、本発明を乳幼児用のジム５１へ適用した例を示す図である。ジム５１の梁部５１ａには回転体５１ｂを含む下飾り５１ｃが取り付けられている。回転体５１ｂの裏側には下飾り５１ｃの本体（不図示）が設けられており、回転体５１ｂは本体と一体となって揺動するとともに、本体から伝達される動力によって回転する。
【００３１】
図８は、本発明を乳幼児用のカートイ５２に適用した例を示す図である。サルの顔を模した本体５２ａに回転体としての目５２ｂ、５２ｂが設けられている。自動車が走り出すことにより本体５２ａが揺動して目５２ｂが回転する。
【００３２】
図９は、本発明をつみ輪５３に適用した例を示す図である。積み重ねたリング５３ａ…５３ａの最上段に載置するための飾り５３ｂ（本体）に回転体５３ｃが設けられている。最下段に置かれるリング５３ａは接地面が曲面形状に形成されており、積み上げられたつみ輪５３が揺動して回転体５３ｃが回転する。
【００３３】
図１０は、本発明を乗用玩具５４に適用した例を示す図である。乗用玩具５４は飛行機を模して形成され、機体５４ａ（本体）に回転体としてのプロペラ５４ｂが設けられている。乗用玩具５４の脚５４ｃには弓形の板５４ｄが張られており、機体５４ａが前後に揺動することによりプロペラ５４ｂが回転する。
【００３４】
図１１は、本発明をボール５５に適用した例を示す図である。表面を合成樹脂や布等で形成された球形の本体５５ａに回転体５５ｂが設けられている。本体５５ａがいずれの方向へ転がっても回転体５５ｂは同一方向へ回転するため、見るものの興味を引くことが可能である。
【００３５】
図１２は、本発明をバストーイ５６に適用した例を示す図である。船舶を模した本体５６ａに回転体５６ｂが設けられている。本体５６ａが水面に浮かべられて揺動することにより、回転体５６ｂが回転する。
【００３６】
図１３は、本発明をぬいぐるみ５７に適用した例を示す図である。動物を模した本体５７ａの腹部に回転体５７ｂが設けられている。本体５７ａを抱き上げる等して遊ぶことにより、回転体５７ｂが回転する。
【００３７】
図１４は、本発明をままごと用玩具５８に適用した例を示す図である。なべを模した本体５８ａの側面に回転体５８ｂが設けられいる。
【００３８】
図１５は、本発明をバトン型玩具５９に適用した例を示す図である。筒状の本体５９ａの先端には、回転可能に支持された軸５９ｂと、軸５９ｂに取り付けられ、軸５９ｂと一体に回転する回転体５９ｃとが設けられている。本体５９ａを振ることにより回転体５９ｃが回転する。
図１６は、本発明をベルト型玩具６０に適用した例を示す図である。バックル６０ａ（本体）に回転体６０ｂが設けられている。ベルト型玩具６０を装着した子供が運動することにより、回転体６０ｂが回転する。
【００３９】
図１７は、本発明を楽器型玩具６１に適用した例を示す図である。ピアノ部６１ａの上には人形６１ｂ（本体）が設けられており、その人形６１ｂの腹部に回転体６１ｃが設けられている。楽器型玩具６１は、鍵盤６１ｄ…６１ｄを押すことにより人形６１ｂが揺動するように構成されており、その揺動により回転体６１ｃが回転する。
【００４０】
図１８は、本発明をクラッカー６２に適用した例を示す図である。クラッカー６２の玉部６２ａ、６２ａ（本体）にそれぞれ回転体６２ｂ、６２ｂが設けられている。なお、この他にもヨーヨー等の振子状の玩具にも本発明を適用可能である。
【００４１】
図１９は、本発明を人形６３に適用した例を示す図である。人形の頭部６３ａ（本体）には、目として回転体６３ｂ、６３ｂが設けられている。
【００４２】
図２０〜図２２では、本発明を装飾品に適用した例を示す。
【００４３】
図２０は、本発明を帽子６４に適用した例を示す図である。帽子６４の前面部には顔を模した本体６４ａが設けられ、その目としての回転体６４ｂ、６４ｂが設けられている。ユーザが帽子６４を被って歩くことにより回転体６４ｂが回転し、見るものの興味を引くことが可能である。すなわち、ファッションに本発明を利用可能である。
【００４４】
図２１は、本発明をペンダント６５に適用した例を示す図である。ペンダントトップ６５ａ（本体）に回転体６５ｂ、６５ｂが設けられている。なお、この他にもバッジ等の身に付ける装飾品に本発明を適用可能である。
【００４５】
図２２は、本発明をカーアクセサリー６６に適用した例を示す図である。カーアクセサリー６６は他のドライバーに乳児が乗車していることを知らせるものとして構成されている。プレート６６ａ（本体）には乳児の顔が描かれており、その目として回転体６６ｂが設けられている。自動車が走ることによりプレート６６ａが揺動して回転体６６ｂが回転し、他のドライバーの注意を惹きつける事が可能である。
【００４６】
図２３〜図２６では、本発明を実用品に適用した例を示す。
図２３は、本発明をベビーチェア６７に適用した例を示す図である。椅子としての本体６７ａは接地部６７ｂが弓型となっており前後に揺動可能となっている。本体６７ａの側面には回転体６７ｃが設けられている。回転体６７ｃは本体６７ａが前後いずれの方向に揺動しても一方向に回転するため見るものの興味を引くことが可能である。なお、大人用の揺り椅子にも本発明を適用可能である。
【００４７】
図２４は、本発明をボールペン６８に適用した例を示す図である。本体６８ａはペン部６８ｂと飾り部６８ｃとを備える。飾り部６８ｃには回転体６８ｄが設けられている。もちろん、万年筆やシャープペンシル等の他の筆記具にも本発明を適用可能である。
【００４８】
図２５は、本発明をキーホルダー６９に適用した例を示す図である。キーホルダー６９の飾り６９ａ（本体）に回転体６９ｂ、６９ｂが設けられている。この他にも、携帯電話のストラップの飾りに回転体を設けてもよい。
【００４９】
図２６は、本発明の他の実施形態に係るディスプレイ人形７０を示す図である。ディスプレイ人形７０の頭部７０ａ（本体）は首部７０ｂに設けられたばね（不図示）によって支持されており、揺動可能である。頭部７０ａには目として回転体７０ｃ、７０ｃが設けられている。頭部７０ａに触れることにより、又は風によって頭部７０ａが揺動することにより回転体７０ｃ、７０ｃが回転する。これにより、通行人の注意を引き付け、広告機能を十分に発揮することが可能である。なお、この人形はスケールを小さくすることにより、通常の置物や貯金箱としても利用可能である。
【００５０】
【発明の効果】
以上に説明したように、本発明によれば、本体の運動に関連して動体が往復運動するとともに、動体の往復運動が伝達部を介して回転体に伝達されて回転体が回転する。従って、外部にレバー等の突起を出す必要がない。また、モータ等を使用する必要がないため、コストダウンを図ることが可能である。さらに、レバーを操作したり、手で直接回転させることなく回転体を回転させることができるため、見る者の興味を引くことが可能である。
【図面の簡単な説明】
【図１】本発明の一実施形態に係る玩具の外観を示す斜視図。
【図２】図１の玩具の内部構成の概略を示す斜視図。
【図３】図１の玩具の前部の内部を側面側から見た図。
【図４】図１の玩具のギアボックスの内部を前面側から見た図。
【図５】図１の玩具のギアボックスの内部を前面側から見た図。
【図６】本発明をガラガラに適用した例を示す図。
【図７】本発明をジムに適用した例を示す図。
【図８】本発明をカートイに適用した例を示す図。
【図９】本発明をつみ輪に適用した例を示す図。
【図１０】本発明を乗用玩具に適用した例を示す図。
【図１１】本発明をボールに適用した例を示す図。
【図１２】本発明をバストーイに適用した例を示す図。
【図１３】本発明をぬいぐるみに適用した例を示す図。
【図１４】本発明をままごと用玩具に適用した例を示す図。
【図１５】本発明をバトン型玩具に適用した例を示す図。
【図１６】本発明をベルト型玩具に適用した例を示す図。
【図１７】本発明を楽器型玩具に適用した例を示す図。
【図１８】本発明をクラッカーに適用した例を示す図。
【図１９】本発明を人形に適用した例を示す図。
【図２０】本発明を帽子に適用した例を示す図。
【図２１】本発明をペンダントに適用した例を示す図。
【図２２】本発明をカーアクセサリーに適用した例を示す図。
【図２３】本発明をベビーチェアに適用した例を示す図。
【図２４】本発明をボールペンに適用した例を示す図。
【図２５】本発明をキーホルダーに適用した例を示す図。
【図２６】本発明をディスプレイ人形に適用した例を示す図。
【符号の説明】
１  玩具
２  本体
３  回転体
４  振子
５  軸
６  ギアボックス
２０  歯車
２１  歯車
２２  歯車
２３  歯車
２４  歯車
２５  歯車
２６  軸
Ｇ  歯車列
【図１】
0003909263.tif 000002
【図２】
0003909263.tif 000003
【図３】
0003909263.tif 000004
【図４】
0003909263.tif 000005
【図５】
0003909263.tif 000006
【図６】
0003909263.tif 000007
【図７】
0003909263.tif 000008
【図８】
0003909263.tif 000009
【図９】
0003909263.tif 000010
【図１０】
0003909263.tif 000011
【図１１】
0003909263.tif 000012
【図１２】
0003909263.tif 000013
【図１３】
0003909263.tif 000014
【図１４】
0003909263.tif 000015
【図１５】
0003909263.tif 000016
【図１６】
0003909263.tif 000017
【図１７】
0003909263.tif 000018
【図１８】
0003909263.tif 000019
【図１９】
0003909263.tif 000020
【図２０】
0003909263.tif 000021
【図２１】
0003909263.tif 000022
【図２２】
0003909263.tif 000023
【図２３】
0003909263.tif 000024
【図２４】
0003909263.tif 000025
【図２５】
0003909263.tif 000026
【図２６】
0003909263.tif 000027